(57)【要約】【課題】発光効率を改善することのできる平面らせん形蛍光ランプを提供する。【解決手段】発光管２２の両端部２２ｂを連結する保持部材２４が、最冷点部である管中央部２２ａを迂回する迂回部２５を有しているので、発熱する発光管２２の両端部２２ｂを連結する保持部材２４と最冷点（２２ａ）とが接触しない。このため、発光管２２の端部２２ｂの熱は、保持部材２４を介して最冷点（２２ａ）に伝達されないので、最冷点（２２ａ）の温度上昇を抑えて、発光効率を改善する。【選択図】図１
2010009883.tif 000002
【特許請求の範囲】
【請求項１】
一連の屈曲した発光管が、管中央部を中心として略一平面上で渦巻状に旋回された二重渦巻き形状を有する平面らせん形蛍光ランプであって、
前記発光管の両端部を連結する保持部材が、最冷点部である前記管中央部を迂回する迂回部を有することを特徴とする平面らせん形蛍光ランプ。
【請求項２】
前記迂回部が開口であることを特徴とする請求項１記載の平面らせん形蛍光ランプ。
【請求項３】
請求項１または２に記載の平面らせん形蛍光ランプを光源として用いたことを特徴とする照明器具。
【発明の詳細な説明】
【技術分野】
【０００１】
本発明は、平面らせん形状をした発光管を有する平面らせん形蛍光ランプおよびこの平面らせん形蛍光ランプを用いた照明器具に関するものである。
【背景技術】
【０００２】
従来より、照明器具に用いられるらせん形蛍光ランプにおいて、ランプ着脱時に発光管が破損するのを防止するために、発光管を保持する保持部材が設けられている（例えば特許文献１参照）。
図４に示すように、特許文献１に記載のらせん形蛍光ランプ１００においては、一連の屈曲した発光管１０１が、管中央部１０２を中心として略一平面上で渦巻状に旋回された二重渦巻き形状を有している。そして、略対向して離れた両端部、すなわち管端部１０３ａ、１０３ｂの間には保持部材としてのブリッジ１０４が設けられている。管端部１０３ａ、１０３ｂには各々フィラメント１０５が設けられており、各フィラメント１０５に接続される一対のリード線は、ブリッジ１０４に沿ってブリッジ１０４の中央部に導かれて、図４中紙面反対側に設けられている口金のランプピン（図示省略）に接続されている。
【特許文献１】特開２００７−８７９６８号公報（第１図）
【発明の開示】
【発明が解決しようとする課題】
【０００３】
しかしながら、特許文献１に記載されているらせん形蛍光ランプ１００においては、ブリッジ１０４が、フィラメント１０５の発熱により昇温する管端部１３３ａ、１３３ｂと、最冷点である管中央部１３２とが、ブリッジ１０４で連結されることになる。このため、管端部１０３ａ、１０３ｂの熱が、ブリッジ１０４を介して管中央部１３２に伝達されて、最冷点の温度が上昇し、発光効率が低下するという不都合がある。
【０００４】
本発明は、従来の問題を解決するためになされたもので、発光効率を改善することのできる平面らせん形蛍光ランプおよび照明器具を提供することを目的とする。
【課題を解決するための手段】
【０００５】
本発明の平面らせん形蛍光ランプは、一連の屈曲した発光管が、管中央部を中心として略一平面上で渦巻状に旋回された二重渦巻き形状を有する平面らせん形蛍光ランプであって、前記発光管の両端部を連結する保持部材が、最冷点部である前記管中央部を迂回する迂回部を有する構成を有している。
【０００６】
この構成により、発光管の両端部を連結する保持部材が、最冷点部である管中央部を迂回する迂回部を有しているので、発熱する発光管の両端部を連結する保持部材と最冷点とが接触しない。このため、発光管の端部の熱は、保持部材を介して最冷点に伝達されないので、最冷点の温度上昇を抑えて、発光効率を改善することができる。
【０００７】
また、本発明の平面らせん形蛍光ランプは、前記迂回部が開口である構成を有している。
【０００８】
この構成により、保持部材に迂回部として開口を設けたので、開口を最冷点位置に位置決めすることにより、発熱する発光管の両端部を連結する保持部材と、最冷点とが接触をしないようにすることができる。これにより、発光管の端部の熱は、保持部材を介して最冷点に伝達されないので、最冷点の温度上昇を抑えて、発光効率を改善する。
【０００９】
さらに、本発明の照明器具は、前述した平面らせん形蛍光ランプを光源として用いた構成を有している。
【００１０】
この構成により、照明器具に用いる平面らせん形蛍光ランプにおいて、発光管の両端部を連結する保持部材が、最冷点部である管中央部を迂回する迂回部を有しているので、発熱する発光管の両端部を連結する保持部材と最冷点とが接触しない。このため、発光管の端部の熱は、保持部材を介して最冷点に伝達されないので、最冷点の温度上昇を抑えて、発光効率を改善する。
【発明の効果】
【００１１】
本発明は、発光管の両端部を連結する保持部材が、最冷点部である管中央部を迂回する迂回部を有しているので、発熱する発光管の両端部を連結する保持部材と最冷点とが接触しない。このため、発光管の端部の熱は、保持部材を介して最冷点に伝達されないので、最冷点の温度上昇を抑えて、発光効率を改善するという効果を有する平面らせん形蛍光ランプおよび照明器具を提供することができるものである。
【発明を実施するための最良の形態】
【００１２】
以下、本発明にかかる平面らせん形蛍光ランプおよび照明器具の実施形態について、図面を用いて説明する。
図１は本発明の第１実施形態にかかる照明器具を示す斜視図、図２（Ａ）は本発明の実施形態にかかる平面らせん形蛍光ランプを器具本体側から見た斜視図、図２（Ｂ）は図２（Ａ）中Ｂ方向から見た正面図である。
【００１３】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１４】
また、底板１２の中央部および他方の端部寄りには、光源である平面らせん形蛍光ランプ２０の照明光をパネル１３側に反射して照明効率を向上させる反射板１６が設けられており、反射板１６の上面に、平面らせん形蛍光ランプ２０を装着するための一対のランプソケット１７、１７が取付けられている。これらランプソケット１７、１７は、電源線（図示省略）によって、点灯装置１４に接続されている。そして、器具本体１２における平面らせん形蛍光ランプ２０に対向する面である反射板１６の上面には、平面らせん形蛍光ランプ２０をランプソケット１７に装着した際に、平面らせん形蛍光ランプ２０の端部２２ｂを保持するランプ支持バネ１８が設けられている。
【００１５】
図２（Ａ）および（Ｂ）に示すように、平面らせん形蛍光ランプ２０は、管状の放電路が長手方向中央部２２ａを始点として同一平面に沿って２重渦巻状に旋回された発光管２２を有しており、発光管２２の中央部２２ａは、その他の部分に比して太径となっていて、最冷点となっている。発光管２２の両端部２２ｂにはそれぞれ口金２３、２３が取付けられており、両口金２３、２３は、発光管２２の中央部２２ａに対して、点対称の位置に設けられている。各口金２３、２３には、平面らせん形蛍光ランプ２０の平面に直交する方向（図２（Ｂ）において上下方向）に配置された一対のランプピン２１が、発光管２２の軸方向に沿って突出して設けられている。
【００１６】
発光管２２における最冷点（２２ａ）と反対側面（図２（Ｂ）において上側面）には、発光管２２の両端部２２ｂ、２２ｂ同士を連結する保持部材であるブリッジ２４が設けられており、ブリッジ２４の両端には、発光管２２を保持するためのリング状の保持部２４ａが設けられている。ブリッジ２４の中央部には、最冷点である発光管２２の中央部２２ａの近傍を通過しないように、発光管２２の中央部（すなわち最冷点）２２ａを迂回する迂回部として開口２５が設けられている。従って、発光管２２の中央部２２ａとブリッジ２４とは、接触しない。なお、開口２５の形状としては、図２（Ａ）に示すような円形や長円形とすることができるが、その他、矩形や、発光管２２の中央部２２ａに対応した形状とすることもできる。
【００１７】
以上、説明した本発明の第１実施形態にかかる照明器具１０および平面らせん形蛍光ランプ２０によれば、発光管２２の両端部２２ｂ、２２ｂを連結するブリッジ２４に、最冷点部である管中央部２２ａを迂回する開口２５を設けたので、発熱する発光管２２の両端部２２ｂを連結するブリッジ２４と最冷点（２２ａ）とは接触しない。このため、発光管２２の端部２２ｂの熱は、ブリッジ２４を介して最冷点（２２ａ）に伝達されないので、最冷点（２２ａ）の温度上昇を抑えて、発光効率を改善することができる。
【００１８】
次に、本発明の第２実施形態にかかる平面らせん形蛍光ランプおよび照明器具について、図に基づいて説明する。
図３は本発明の第２実施形態にかかる平面らせん形蛍光灯を示す斜視図である。なお、前述した第１実施形態にかかる照明器具と共通する部位には同じ符号を付して、重複する説明を省略することとする。
【００１９】
図３に示すように、本発明の第２実施形態にかかる照明器具１０Ｂに用いられる平面らせん形蛍光ランプ２０Ｂでは、ブリッジ２４の中央部が最冷点である発光管２２の中央部２２ａの近傍を通過しないように、ブリッジ２４の平面内において発光管２２の中央部２２ａを迂回する迂回部として迂回路２６が設けられている。迂回路２６の形状は限定するものではないが、図３に示すように、部分円弧状に形成することができる。あるいは、矩形状（コ字状）に設けることもできる。
【００２０】
以上、説明した本発明の第２実施形態にかかる照明器具１０Ｂおよび平面らせん形蛍光ランプ２０Ｂによれば、前述した第１実施形態にかかる照明器具１０および平面らせん形蛍光ランプ２０と同様の作用・効果を得ることができ、最冷点（２２ａ）の温度上昇を抑えて、発光効率を改善することができる。
【００２１】
なお、本発明の平面らせん形蛍光ランプは、前述した各実施形態に限定されるものでなく、適宜な変形，改良等が可能である。
【図面の簡単な説明】
【００２２】
【図１】本発明の第１実施形態にかかる照明器具を示す斜視図
【図２】（Ａ）は本発明の第１実施形態にかかる平面らせん形蛍光ランプを器具本体側から見た斜視図、（Ｂ）は（Ａ）中Ｂ方向から見た正面図
【図３】本発明の第２実施形態にかかる平面らせん形蛍光ランプを器具本体側から見た斜視図
【図４】従来の平面らせん形蛍光ランプの平面図
【符号の説明】
【００２３】
１０  照明器具
２０  平面らせん形蛍光ランプ
２２  発光管
２２ａ  管中央部
２２ｂ  端部
２４  ブリッジ（保持部材）
２５  開口（迂回部）
２６  迂回路（迂回部）
【図１】
2010009883.tif 000003
【図２】
2010009883.tif 000004
【図３】
2010009883.tif 000005
【図４】
2010009883.tif 000006